(57)【特許請求の範囲】
【請求項１】
空気調和機に搭載され、２つの電極との間に電圧が印加されることによって活性種を生成する活性種生成装置であって、
放電用部材（３１，３２）と、
前記放電用部材（３１，３２）と電源とを結ぶ端子部材（４１，４２）と、
前記端子部材（４１，４２）を固定する樹脂フレーム（５０）と、
を備え、
前記端子部材（４１，４２）は、
前記放電用部材（３１，３２）との電気的接触を目的とする接触部（４３１，４３２）と、
前記接触部（４３１，４３２）の近傍で前記放電用部材（３１，３２）に引っ掛かる引掛り部（４５１，４５２）と、
前記引掛り部（４５１，４５２）が前記放電用部材（３１，３２）に引っ掛かることによって前記接触部（４３１，４３２）の近傍で弾性変形して前記接触部（４３１，４３２）を前記放電用部材（３１，３２）に押し付ける弾性部（４７１，４７２）と、
を有する、
活性種生成装置（７０）。
【請求項２】
前記端子部材（４１，４２）は、前記弾性部（４７１，４７２）を挟んで前記引掛り部（４５１，４５２）と反対側の位置に前記樹脂フレーム（５０）に引っ掛かる第２引掛り部（４９１，４９２）をさらに有し、
前記樹脂フレーム（５０）は、前記第２引掛り部（４９１，４９２）が引っ掛かるための突起（５９１，５９２）を有している、
請求項１に記載の活性種生成装置（７０）。
【請求項３】
前記第２引掛り部（４９１，４９２）は、スナップフィットによって前記突起（５９１，５９２）に引っ掛かる、
請求項２に記載の活性種生成装置（７０）。
【請求項４】
前記放電用部材（３１，３２）は、前記樹脂フレーム（５０）に固定される、
請求項１から請求項３のいずれか１項に記載の活性種生成装置（７０）。
【請求項５】
前記放電用部材は、
放電側電極（３１）と、
前記放電側電極（３１）と対峙するアース側電極（３２）と、
を含む、
請求項１から請求項４のいずれか１項に記載の活性種生成装置（７０）。
【請求項６】
前記端子部材は、
前記放電側電極（３１）と前記電源とを結ぶ放電側端子（４１）と、
前記アース側電極（３２）と前記電源とを結ぶアース側端子（４２）と、
を含む、
請求項５に記載の活性種生成装置（７０）。
【発明の詳細な説明】
【技術分野】
【０００１】
本発明は、活性種生成装置に関する。
【背景技術】
【０００２】
近年、活性種生成装置が搭載された空気調和機が広く普及している。例えば、特許文献１（特開２０１２−０７１２４７号公報）に開示されている活性種生成装置では、放電電極板、及びそれに対峙する対向電極板それぞれがネジによって樹脂土台に固定されている。放電電極板の端部は電源部の正極側に、対向電極板の端部は電源部の負極側に接続されている。
【０００３】
なお、活性種生成装置の装着位置の構造的な制約により、電極板と電源部とを繋ぐ通電用の端子を電極板と別個にしなければならないような場合は、電極板と通電用の端子とを樹脂の土台にビスで共締めすることによって電気的接続を確保している。
【発明の概要】
【発明が解決しようとする課題】
【０００４】
しかしながら、欧州向けの電気機器については、電気的な接続を果たしている２つの板金を樹脂の土台にビスで共締めすることは、ＥＮ規格により認められていない。
【０００５】
本発明の課題は、ビスによらずに放電用の部材と通電用の端子との電気的接続を確保した活性種生成装置を提供することにある。
【課題を解決するための手段】
【０００６】
本発明の第１観点に係る活性種生成装置は、空気調和機に搭載され、２つの電極との間に電圧が印加されることによって活性種を生成する活性種生成装置であって、放電用部材と、放電用部材と電源とを結ぶ端子部材と、端子部材を固定する樹脂フレームとを備えている。端子部材は、接触部と、引掛り部と、弾性部とを有している。接触部は、放電用部材との電気的接触を目的としている。引掛り部は、接触部の近傍で放電用部材に引っ掛かる。弾性部は、引掛り部が放電用部材に引っ掛かることによって接触部の近傍で弾性変形して接触部を放電用部材に押し付ける。
【０００７】
この活性種生成装置では、樹脂フレームに固定された端子部材が引掛り部を介して放電用部材に引っ掛かることによって、弾性部が弾性変形して接触部が放電用部材に押し付けられる。その結果、端子部材と放電用部材とはビスを介さずに電気的接続を維持することができるので、信頼性が向上する。
【０００８】
本発明の第２観点に係る活性種生成装置は、第１観点に係る活性種生成装置であって、端子部材が第２引掛り部をさらに有している。第２引掛り部は、弾性部を挟んで引掛り部と反対側の位置で樹脂フレームに引っ掛かっている。樹脂フレームは、第２引掛り部が引っ掛かるための突起を有している。
【０００９】
この活性種生成装置では、端子部材は、第２引掛り部が樹脂フレームの突起に引っ掛かることによって樹脂フレームに固定されるので、固定に手間がかからず作業性がよい。
【００１０】
本発明の第３観点に係る活性種生成装置は、第２観点に係る活性種生成装置であって、第２引掛り部が、スナップフィットによって突起に引っ掛かる。
【００１１】
この活性種生成装置では、作業者は、第２引掛り部が樹脂フレームの突起にスナップフィットするときのクリック感によって、第２引掛り部が突起に確実に引っ掛かった否かを認知することができるので、組立不良が低減され、作業性も向上する。
【００１２】
本発明の第４観点に係る活性種生成装置は、第１観点から第３観点のいずれか一つに係る活性種生成装置であって、放電用部材が樹脂フレームに固定される。
【００１３】
この活性種生成装置では、放電用部材が樹脂フレームに固定された上で、端子部材の接触部が放電用部材に押し付けられるので、端子部材の接触部と放電用部材との接触状態が安定し、信頼性がさらに向上する。
【００１４】
本発明の第５観点に係る活性種生成装置は、第１観点から第４観点のいずれか一つに係る活性種生成装置は、放電用部材が、放電側電極と、放電側電極と対峙するアース側電極とを含んでいる。
【００１５】
本発明の第６観点に係る活性種生成装置は、第５観点に係る活性種生成装置であって、端子部材は、放電側電極と電源とを結ぶ放電側端子と、アース側電極と電源とを結ぶアース側端子とを含んでいる。
【発明の効果】
【００１６】
本発明の第１観点、第５観点および第６観点のいずれか１つに係る活性種生成装置では、樹脂フレームに固定された端子部材が引掛り部を介して放電用部材に引っ掛かることによって、弾性部が弾性変形して接触部が放電用部材に押し付けられる。その結果、端子部材と放電用部材とはビスを介さずに電気的接続を維持することができるので、信頼性が向上する。
【００１７】
本発明の第２観点に係る活性種生成装置では、端子部材は、第２引掛り部が樹脂フレームの突起に引っ掛かることによって樹脂フレームに固定されるので、固定に手間がかからず作業性がよい。
【００１８】
本発明の第３観点に係る活性種生成装置では、作業者は、第２引掛り部が樹脂フレームの突起にスナップフィットするときのクリック感によって、第２引掛り部が突起に確実に引っ掛かった否かを認知することができるので、組立不良が低減され作業性も向上する。
【００１９】
本発明の第４観点に係る活性種生成装置では、放電用部材が樹脂フレームに固定された上で、端子部材の接触部が放電用部材に押し付けられるので、端子部材の接触部と放電用部材との接触状態が安定し、信頼性がさらに向上する。
【図面の簡単な説明】
【００２０】
【図１】本発明の一実施形態に係る活性種生成装置の正面図。
【図２】図１の活性種生成装置の斜視図。
【図３】図１のＡ−Ａ線における活性種生成装置の断面図。
【図４】図１からカバーを取り外した状態の活性種生成装置の平面図。
【図５】図１のＢ−Ｂ線における活性種生成装置の断面図。
【図６】図１のＣ−Ｃ線における活性種生成装置の断面図。
【発明を実施するための形態】
【００２１】
以下図面を参照しながら、本発明の実施形態について説明する。なお、以下の実施形態は、本発明の具体例であって、本発明の技術的範囲を限定するものではない。
【００２２】
（１）活性種生成装置７０の全体構成
図１は、本発明の一実施形態に係る活性種生成装置７０の正面図である。また、図２は、図１の活性種生成装置７０の斜視図である。図１及び図２において、活性種生成装置７０は、樹脂製のフレーム５０と、フレーム５０の前側に取り付けられるカバー６０と、フレーム５０とカバー６０との間に配置される放電部３０と、端子部４０と、フレーム５０の側面に取り付けられる矩形板状のエアフィルタ５５（図２参照）とを有している。
【００２３】
放電部３０は、放電針３１１を有する略矩形状の放電側電極板３１と、長手方向の寸法が放電側電極板３１のそれよりも長い矩形状のアース側電極板３２とを有している。
【００２４】
端子部４０は、放電側電極板３１と電源部（図示せず）の正極側とを結ぶ放電側端子４１と、アース側電極板３２と電源部の負極側とを結ぶアース側端子４２とを有している。
【００２５】
（２）詳細構成
（２−１）放電側電極板３１
図３は、図１のＡ−Ａ線における活性種生成装置７０の断面図である。図３において、放電側電極板３１の中央には、放電針３１１を保持する保持部３１ａが設けられている。保持部３１ａは、放電側電極板３１からその板面と直交する方向に突出するように切り起されている。その結果、保持部３１ａの近傍に切り欠き孔３１ｅが付随して形成されている。
【００２６】
また、図２に示すように、保持部３１ａの先端部は折り返されており、この折り返し部分に放電針３１１が挟み込まれている。放電針３１１の両端部は、保持部３１ａから突出している。放電針３１１は、線径０．２ｍｍのタングステン線で構成されているが、これに限定されるものではない。
【００２７】
また、図２及び図３に示すように、放電側電極板３１の長手方向に平行な両端部は、保持部３１ａの突出方向と反対の方向に折り曲げられた曲げ部Ａ３１ｂが形成されている。
【００２８】
また、放電側電極板３１の長手方向の両端のうちの一方の端部には放電側端子４１が挿入される貫通孔Ａ３１ｃが、他方の端部には放電側電極板３１をフレーム５０に固定するためのビスＡ３１３が挿入されるビス穴Ａ３１ｄ（図２参照）が設けられている。
【００２９】
（２−２）アース側電極板３２
図４は、図１からカバー６０を取り外した状態の活性種生成装置７０の平面図である。図４において、アース側電極板３２は、平面視において放電側電極板３１と平行に対向配置されている。アース側電極板３２の長手方向に平行な両端部は、放電側電極板３１の曲げ部Ａ３１ｂの曲げ方向と反対方向に折り曲げられた曲げ部Ｂ３２ｂが形成されている。
【００３０】
また、アース側電極板３２の長手方向の両端のうちの一方の端部にはアース側端子４２が挿入される貫通孔Ｂ３２ｃが、他方の端部にはアース側電極板３２をフレーム５０に固定するためのビスＢ３２３が挿入されるビス穴Ｂ３２ｄ（図２参照）が設けられている。
【００３１】
また、アース側電極板３２には、さらに２つの貫通孔が形成されており、一方は放電側端子４１を完全に通すための第１通し穴３２ｅであり、他方は放電側電極板３１をフレーム５０に固定するためのビスＡ３１３を完全に通すための第２通し穴３２ｆである。第１通し穴３２ｅ及び第２通し穴３２ｆを設けた目的は、活性種生成装置７０の組立後においても、アース側電極板３２を取り外すことなく、放電側電極板３１の着脱ができるようにするためである。
【００３２】
（２−３）放電側端子４１
図５は、図１のＢ−Ｂ線における活性種生成装置７０の断面図である。図５において、放電側端子４１は、放電側電極板３１と電源部の正極側とを結ぶ端子部材である。放電側端子４１は、電源接続部Ａ４１１と、接触部Ａ４３１と、引掛り部Ａ４５１と、弾性部Ａ４７１と、第２引掛り部Ａ４９１とを有している。
【００３３】
（２−３−１）電源接続部Ａ４１１
電源接続部Ａ４１１は、電源の正極側に接続される部分であり、フレーム５０の外側に突出している。なお、電源接続部Ａ４１１は雄型端子であって、図示しない電源の正極側端子は雌型端子である。
【００３４】
電源接続部Ａ４１１と電源の正極側端子との間に適切な接触圧力が確保されるように、電源接続部Ａ４１１には山形のバネ突起Ａ４１１ａが形成されている。それゆえ、電源接続部Ａ４１１が電源の正極側端子に挿入されたときに、バネ突起Ａ４１１ａの頂点が圧縮されて頂角が拡張し、反発力が生じる。この反発力によって、電源接続部Ａ４１１と電源の正極側端子との間に適切な接触圧力が確保される。
【００３５】
（２−３−２）接触部Ａ４３１
接触部Ａ４３１は、放電側電極板３１との電気的接触を目的としており、フレーム５０の内部に位置して、放電側電極板３１の平面部分に接触する。
【００３６】
（２−３−３）引掛り部Ａ４５１
引掛り部Ａ４５１は、接触部Ａ４３１の近傍に位置し、放電側電極板３１の曲げ部Ａ３１ｂに引っ掛かる。引掛り部Ａ４５１は、接触部Ａ４３１の一端から放電側電極板３１の曲げ部Ａ３１ｂに沿って９０°に曲げられた後、曲げ部Ａ３１ｂの最突出部位に掛かるように山形に形成されており、その山形の傾斜面と曲げ部Ａ３１ｂの最突出部位とが係合する。
【００３７】
（２−３−４）弾性部Ａ４７１
弾性部Ａ４７１は、放電側端子４１が接触部Ａ４３１の他端から９０°に曲げられた後、その方向に沿って電源接続部Ａ４１１の先端まで延びる部分のうちの所定区間を担う。この所定区間の到達点は第２引掛り部Ａ４９１である。つまり、接触部Ａ４３１の他端から第２引掛り部Ａ４９１までの間が弾性部Ａ４７１である。
【００３８】
弾性部Ａ４７１のうちの接触部Ａ４３１の他端から第２引掛り部Ａ４９１までの間には、山形に加工された第２バネ突起Ａ４７１ａが設けられている。
【００３９】
弾性部Ａ４７１は、引掛り部Ａ４５１が放電側電極板３１の曲げ部Ａ３１ｂに引っ掛かり、第２引掛り部Ａ４９１がフレーム５０の所定部分に引っ掛かることによって、第２バネ突起Ａ４７１ａの頂角が拡張される方向に引っ張られるので、弾性部Ａ４７１に張力が作用し、接触部Ａ４３１が放電側電極板３１の平面部分に押し付けられる。
【００４０】
（２−３−５）第２引掛り部Ａ４９１
第２引掛り部Ａ４９１は、孔である。第２引掛り部Ａ４９１には、フレーム５０の所定位置に設けられた突起Ａ５９１が嵌合する。突起Ａ５９１は、弾性部Ａ４７１とは反対側の面が弾性部Ａ４７１の板厚方向と平行になるように形成されている（図５参照）。その結果、第２引掛り部Ａ４９１が弾性部Ａ４７１側に引っ張られたときに第２引掛り部Ａ４９１が外れることがない。さらに、電源接続部Ａ４１１が電源の正極側端子に挿入されるときに、第２引掛り部Ａ４９１が弾性部Ａ４７１側に押されるが、第２引掛り部Ａ４９１が突起Ａ５９１に嵌合しているので、第２引掛り部Ａ４９１が外れることがない。
【００４１】
（２−４）アース側端子４２
図６は、図１のＣ−Ｃ線における活性種生成装置７０の断面図である。図６において、アース側端子４２は、アース側電極板３２と電源部の負極側とを結ぶ端子部材である。アース側端子４２は、電源接続部Ｂ４２２と、接触部Ｂ４３２と、引掛り部Ｂ４５２と、弾性部Ｂ４７２と、第２引掛り部Ｂ４９２とを有している。
【００４２】
（２−４−１）電源接続部Ｂ４２２
電源接続部Ｂ４２２は、電源の負極側に接続される部分であり、フレーム５０の外側に突出している。なお、電源接続部Ｂ４２２は雄型端子であって、図示しない電源の負極側端子は雌型端子である。
【００４３】
電源接続部Ｂ４２２と電源の負極側端子との間に適切な接触圧力が確保されるように、電源接続部Ｂ４２２には山形のバネ突起Ｂ４２２ａが形成されている。それゆえ、電源接続部Ｂ４２２が電源の負極側端子に挿入されたときに、バネ突起Ｂ４２２ａの頂点が抑えられて頂角が拡張し、反発力が生じる。この反発力によって、電源接続部Ｂ４２２と電源の負極側端子との間に適切な接触圧力が確保される。
【００４４】
（２−４−２）接触部Ｂ４３２
接触部Ｂ４３２は、アース側電極板３２との電気的接触を目的としており、フレーム５０の内部に位置して、アース側電極板３２の平面部分に接触する。
【００４５】
（２−４−３）引掛り部Ｂ４５２
引掛り部Ｂ４５２は、接触部Ｂ４３２の近傍に位置し、アース側電極板３２の曲げ部Ｂ３２ｂに引っ掛かる。引掛り部Ｂ４５２は、接触部Ｂ４３２の一端からアース側電極板３２の曲げ部Ｂ３２ｂに沿って９０°に曲げられた後、再び反対方向に曲げられ、先端部分が曲げ部Ｂ３２ｂの曲げ開始位置の外側コーナーに掛かるように山形に形成されており、その山形の傾斜面と曲げ部Ｂ３２ｂの上記外側コーナーとが係合する。
【００４６】
（２−４−４）弾性部Ｂ４７２
弾性部Ｂ４７２は、アース側端子４２が接触部Ｂ４３２の他端から９０°に曲げられた後、その方向に沿って電源接続部Ｂ４２２の先端まで延びる部分のうちの所定区間を担う。この所定区間の到達点は第２引掛り部Ｂ４９２である。つまり、接触部Ｂ４３２の他端から第２引掛り部Ｂ４９２までの間が弾性部Ｂ４７２である。
【００４７】
弾性部Ｂ４７２のうちの接触部Ｂ４３２の他端から第２引掛り部Ｂ４９２までの間には、山形に加工された第２バネ突起Ｂ４７２ａが設けられている。
【００４８】
弾性部Ｂ４７２は、引掛り部Ｂ４５２がアース側電極板３２の曲げ部Ｂ３２ｂに引っ掛かり、第２引掛り部Ｂ４９２がフレーム５０の所定部分に引っ掛かることによって、第２バネ突起Ｂ４７２ａの頂角が拡張される方向に引っ張られるので、弾性部Ｂ４７２に張力が作用し、接触部Ｂ４３２がアース側電極板３２の平面部分に押し付けられる。
【００４９】
（２−４−５）第２引掛り部Ｂ４９２
第２引掛り部Ｂ４９２は、孔である。第２引掛り部Ｂ４９２には、フレーム５０の所定位置に設けられた突起Ｂ５９２が嵌合する。突起Ｂ５９２は、弾性部Ｂ４７２とは反対側の面が弾性部Ｂ４７２の板厚方向と平行になるように形成されている（図６参照）。その結果、第２引掛り部Ｂ４９２が弾性部Ｂ４７２側に引っ張られたときに第２引掛り部Ａ４９１が外れることがない。さらに、電源接続部Ｂ４２２が電源の正極側端子に挿入されるときに、第２引掛り部Ｂ４９２が弾性部Ｂ４７２側に押されるが、第２引掛り部Ｂ４９２が突起Ｂ５９２に嵌合しているので、第２引掛り部Ｂ４９２が外れることがない。
【００５０】
（２−５）フレーム５０
フレーム５０は、放電側電極板３１、アース側電極板３２、放電側端子４１及びアース側端子４２を支持する樹脂製の土台である。図２に示すように、フレーム５０は、１つの底壁５１と４つの側壁５２ａ〜５２ｄを有し、これらによって直方体状の箱を形成している。
【００５１】
４つの側壁５２ａ〜５２ｄは、一対の幅広側壁５２ａ，５２ｂと、一対の幅狭側壁５２ｃ，５２ｄで構成されている。一対の幅広側壁５２ａ，５２ｂには、Ｕ字状の窓部５２１が設けられている。窓部５２１は、放電側電極板３１の長手方向の２／３が見える程度の大きさに設定されている。
【００５２】
また、一対の幅狭側壁５２ｃ，５２ｄのうちの幅狭側壁５２ｃには四角窓５２３が設けられている（図２参照）。幅狭側壁５２ｃからフレーム５０の内側に向かって所定距離だけ離れた位置に、幅狭側壁５２ｃと平行なリブ５２５が底壁５１及び一対の幅広側壁５２ａ，５２ｂから隆起しており、幅狭側壁５２ｃとリブ５２５との隙間にエアフィルタ５５（図２参照）が挿入される。
【００５３】
一対の幅広側壁５２ａ，５２ｂそれぞれの両端部には、外側に突出する爪部５２７が設けられている。この爪部５２７は、カバー６０のスナップ片６０１の嵌合孔６０１ａに嵌り込む。
【００５４】
（２−５−１）第１支持ボス５１１と第１ビス止めボス５１３
図２に示すようにフレーム５０には、底壁５１から垂直に延びる第１支持ボス５１１及び第１ビス止めボス５１３が設けられている。第１支持ボス５１１は、その天面で放電側電極板３１の平面を受けて支持する。つまり、放電側電極板３１は、放電側端子４１の接触部Ａ４３１と第１支持ボス５１１の天面とに挟まれることによってフレーム５０に保持される。
【００５５】
第１ビス止めボス５１３は、第１支持ボス５１１から幅狭側壁５２ｄの方向に離れて、且つ放電側電極板３１のビス穴Ａ３１ｄと対峙することができる位置に設けられている。放電側電極板３１は、ビス穴Ａ３１ｄからビスＡ３１３によって第１ビス止めボス５１３に固定される。
【００５６】
（２−５−２）第２支持ボス５１２と第２ビス止めボス５１４
また、図２及び図３に示すようにフレーム５０には、底壁５１から垂直に延びる第２支持ボス５１２及び第２ビス止めボス５１４が設けられている。第２支持ボス５１２は、第１支持ボス５１１よりも高く、その天面でアース側電極板３２を受けて支持する。つまり、アース側電極板３２は、アース側端子４２の接触部Ｂ４３２と第２支持ボス５１２の天面とに挟まれることによってフレーム５０に保持される。
【００５７】
第２ビス止めボス５１４は、第２支持ボス５１２から幅狭側壁５２ｃの方向に離れて、且つアース側電極板３２のビス穴Ｂ３２ｄと対峙することができる位置に設けられている。アース側電極板３２は、ビス穴Ｂ３２ｄからビスＢ３２３によって第２ビス止めボス５１４に固定される。
【００５８】
（２−５−３）放電側端子ガイド５１７とアース側端子ガイド５１８
また、底壁５１には、外側に向かって突出する放電側端子ガイド５１７及びアース側端子ガイド５１８が設けられている。放電側端子ガイド５１７は、底壁５１を挟んで第１支持ボス５１１と対峙する位置から突出している。第１支持ボス５１１には、放電側端子４１の電源接続部Ａ４１１を挿入させるためのガイド孔Ａ５１１ａがあけられており、そのガイド孔Ａ５１１ａを通過した電源接続部Ａ４１１が放電側端子ガイド５１７に保持される。放電側端子４１の第２引掛り部Ａ４９１に嵌まり込む突起Ａ５９１は、この放電側端子ガイド５１７に設けられている。
【００５９】
アース側端子ガイド５１８は、底壁５１を挟んで第２支持ボス５１２と対峙する位置から突出している。第２支持ボス５１２には、アース側端子４２の電源接続部Ｂ４２２を挿入させるためのガイド孔Ｂ５１２ａがあけられており、そのガイド孔Ｂ５１２ａを通過した電源接続部Ｂ４２２がアース側端子ガイド５１８に保持される。アース側端子４２の第２引掛り部Ｂ４９２に嵌まり込む突起Ｂ５９２はこのアース側端子ガイド５１８に設けられている。
【００６０】
（２−６）カバー６０
カバー６０は、フレーム５０の底壁５１と対向する開口を塞ぎ、フレーム５０とともに活性種生成装置７０の外郭を形成している。
【００６１】
カバー６０の４隅の近傍には、スナップ片６０１が設けられている。スナップ片６０１は、フレーム５０の爪部５２７がスナップフィットで嵌まり込むための嵌合孔６０１ａを有している。
【００６２】
（３）動作
放電側電極板３１とアース側電極板３２との間に電圧が印加されると、放電針３１１の両端からアース側電極板３２に向かってストリーマ放電が発生し、これにより、低温プラズマが生成される。この低温プラズマによって、高速電子、イオン、水酸化ラジカル、励起酸素分子などの活性種が生成される。これらの活性種は、アンモニア類や、アルデヒド類、窒素酸化物等の小さな有機分子からなる空気中の有害成分や臭気成分を分解する能力を有する。
【００６３】
幅狭側壁５２ｃの四角窓５２３から進入した空気は、エアフィルタ５５を通過することによって塵埃等が除去され、放電針３１１に至る。放電針３１１の近傍には、上記の通り高速電子、イオン、水酸化ラジカル、励起酸素分子などの活性種が生成されているので、これらの活性種を含んだ空気となって、幅広側壁５２ａ，５２ｂそれぞれの窓部５２１から排出される。
【００６４】
例えば、この活性種生成装置７０が空気調和機のフィルタの上流側に配置された場合は、活性種生成装置７０から排出される活性種を含んだ空気によって、フィルタに付着したアンモニア類や、アルデヒド類、窒素酸化物等の小さな有機分子からなる空気中の有害成分や臭気成分が分解される。
【００６５】
なお、長期使用により放電側電極板３１の交換等のメンテナンスが必要になったときには、サービスパーソンが活性種生成装置７０のカバー６０を外して、放電側電極板３１を取り外すことになるが、この際、放電側電極板３１よりも手前にあるアース側電極板３２を外すことなく放電側電極板３１を取り出すことが可能である。
【００６６】
アース側電極板３２には、放電側端子４１を完全に通すための第１通し穴３２ｅと、放電側電極板３１をフレーム５０に固定するビスＡ３１３を完全に通すための第２通し穴３２ｆが設けられているので、サービスパーソンは、アース側電極板３２をフレーム５０に固定した状態のまま、第１通し穴３２ｅから専用工具で放電側端子４１を引き抜き、第２通し穴３２ｆからドライバーを差し込んでビスＡ３１３を外すことができる。放電側端子４１及びビスＡ３１３が取り外された放電側電極板３１は、フレーム５０の窓部５２１から引き出される。
【００６７】
逆に、放電側電極板３１を取り付ける際には、サービスパーソンは、フレーム５０の窓部５２１から放電側電極板３１をフレーム５０内に挿入して第１支持ボス５１１及び第１ビス止めボス５１３上に配置した上で、第２通し穴３２ｆから放電側電極板３１のビス穴Ａ３１ｄにビスＡ３１３を差し込んで放電側電極板３１を第１ビス止めボス５１３に固定し、その後、アース側電極板３２の第１通し穴３２ｅから放電側端子４１を差し込んで放電側電極板３１を第１支持ボス５１１とで挟み込んで保持させる。
【００６８】
このように、サービスパーソンは、放電側電極板３１よりも手前にあるアース側電極板３２を外すことなく放電側電極板３１を着脱することができるので、メンテナンスが容易である。
【００６９】
（４）特徴
（４−１）
活性種生成装置７０では、フレーム５０に固定された放電側端子４１が引掛り部Ａ４５１を介して放電側電極板３１に引っ掛かることによって、弾性部Ａ４７１が弾性変形して接触部Ａ４３１が放電側電極板３１に押し付けられる。
【００７０】
同様に、フレーム５０に固定されたアース側端子４２が引掛り部Ｂ４５２を介してアース側電極板３２に引っ掛かることによって、弾性部Ｂ４７２が弾性変形して接触部Ｂ４３２がアース側電極板３２に押し付けられる。
【００７１】
その結果、放電側端子４１と放電側電極板３１とはビスを介さずに電気的接続を維持することができ、同様にアース側端子４２とアース側電極板３２とはビスを介さずに電気的接続を維持することができる。したがって、信頼性が向上する。
【００７２】
（４−２）
活性種生成装置７０では、放電側端子４１は第２引掛り部Ａ４９１がフレーム５０の突起Ａ５９１に引っ掛かることによってフレーム５０に固定され、同様にアース側端子４２は第２引掛り部Ｂ４９２がフレーム５０の突起Ｂ５９２に引っ掛かることによってフレーム５０に固定される。したがって、固定に手間がかからず作業性がよい。
【００７３】
（４−３）
活性種生成装置７０では、作業者は、第２引掛り部Ａ４９１がフレーム５０の突起Ａ５９１にスナップフィットするときのクリック感、及び第２引掛り部Ｂ４９２がフレーム５０の突起Ｂ５９２にスナップフィットするときのクリック感によって、それらが確実に引っ掛かった否かを認知することができるので、組立不良が低減され、作業性も向上する。
【００７４】
（４−４）
活性種生成装置７０では、放電側電極板３１がフレーム５０に固定された上で、放電側端子４１の接触部Ａ４３１が放電側電極板３１に押し付けられるので、放電側端子４１の接触部Ａ４３１と放電側電極板３１との接触状態が安定する。
【００７５】
同様に、アース側電極板３２がフレーム５０に固定された上で、アース側端子４２の接触部Ｂ４３２がアース側電極板３２に押し付けられるので、アース側端子４２の接触部Ｂ４３２とアース側電極板３２との接触状態が安定する。
【００７６】
したがって、信頼性が向上する。
【産業上の利用可能性】
【００７７】
本発明は、空気調和機、特にルームエアコン、空気清浄機に有用である。
【符号の説明】
【００７８】
３１      放電側電極板（放電用部材）
３２      アース側電極板（放電用部材）
４１      放電側端子（端子部材）
４２      アース側端子（端子部材）
５０      フレーム（樹脂フレーム）
７０      活性種生成装置
４３１    接触部Ａ
４３２    接触部Ｂ
４５１    引掛り部Ａ
４５２    引掛り部Ｂ
４７１    弾性部Ａ
４７２    弾性部Ｂ
４９１    第２引掛り部Ａ
４９２    第２引掛り部Ｂ
５９１    突起Ａ
５９２    突起Ｂ
【先行技術文献】
【特許文献】
【００７９】
【特許文献１】特開２０１２−０７１２４７号公報
【図１】
0005942959.tif 000002
【図２】
0005942959.tif 000003
【図３】
0005942959.tif 000004
【図４】
0005942959.tif 000005
【図５】
0005942959.tif 000006
【図６】
0005942959.tif 000007